(57)【要約】      （修正有）【課題】畳めるように構成され、箱詰め・搬送・搬入が容易な電動ベッドを提供する。【解決手段】電動ベッド１は前骨組み３と、後骨組み５と、複数のベッド板を含む。前骨組み１は前台座３１を含み、前台座３１には前支持具３２を固定し、前支持具３２は前骨組み３に設けるベッド板を支える。後骨組み５は後台座５１を含み、後台座５１には後支持具５２を固定し、後支持具５２は後骨組み５に設けるベッド板を支える。前台座３１と後台座５１とは連接具７とシャフトピン９とによりヒンジジョイント軸にヒンジで連結して，前骨組み３と後骨組み５とは水平状態に展開したり、互いに畳んだりすることができる。水平状態に展開した場合、前骨組み３と後骨組み５とは水平方向に互いに隣接して、畳んだ状態になる場合、前骨組み３の前台座３１はヒンジジョイント軸を回って、後骨組み５の後台座５１とは同じ水平面に重なり合う。【選択図】図１
0003212247.tif 000002
【実用新案登録請求の範囲】
【請求項１】
前骨組み（３）と、後骨組み（５）と、前記前骨組み（３）と前記後骨組み（５）とに設けられる複数のベッド板とを含む畳める電動ベッド（１）において、
前記前骨組み（３）は前台座（３１）を含み、前記前台座（３１）には前支持具（３２）が固定され、前記前支持具（３２）は前記前骨組み（３）に設けられるベッド板を支えるものであり、
前記後骨組み（５）は後台座（５１）を含み、前記後台座（５１）には後支持具（５２）が固定され、前記後支持具（５２）は前記後骨組み（５）に設けられるベッド板を支えるものであり、
かつ、前記前台座（３１）と前記後台座（５１）は連接具（７）とシャフトピン（９）とによりヒンジジョイント軸（１０）にヒンジで連結され、これにより、前記前骨組み（３）と前記後骨組み（５）とは水平状態になるように展開したり、互いに畳めたりすることができるようになり、水平状態に展開した場合、前記前骨組み（３）と前記後骨組み（５）とは水平方向に互いに隣接して、畳んだ状態の場合、前記前骨組み（３）の前記前台座（３１）は前記ヒンジジョイント軸（１０）周りに回転して、前記後骨組み（５）の前記後台座（５１）と同じ水平面に重なり合うことを特徴とする電動ベッド（１）。
【請求項２】
前記連接具（７）は水平部としての第一据え付け部（７１）と前記第一据え付け部（７１）と直交した第二据え付け部（７２）とを含み、前記第一据え付け部（７１）は前記前骨組み（３）あるいは前記後骨組み（５）に据え付けられ、前記第二据え付け部（７２）は前記シャフトピン（９）を据え付けるためのものであることを特徴とする請求項１に記載の電動ベッド（１）。
【請求項３】
前駆動部（２）が前記前骨組み（３）に据え付けられ、前記前駆動部（２）は前記前骨組み（３）に設けられる複数のベッド板の少なくとも一つを駆動するものであり、また、前記前台座（３１）からの前記前支持具（３２）の高さは前記前骨組み（３）における前記前駆動部（２）の高さより高いことを特徴とする請求項１に記載の電動ベッド（１）。
【請求項４】
後駆動部（４）が前記の後骨組み（５）に据え付けられ、前記後駆動部（４）は前記後骨組み（５）に設けられる複数のベッド板の少なくとも一つを駆動するものであり、また、前記後台座（５１）からの前記後支持具（５２）の高さは前記後骨組み（５）における前記後駆動部（４）の高さより高いことを特徴とする請求項１に記載の電動ベッド（１）。
【請求項５】
前記前骨組み（３）の前記前台座（３１）はその長手方向に延長する一対の前ストリンガー（３３）と、前記一対の前ストリンガー（３３）の間に連接した前連接ビーム（３４）と前反転ビーム（３５）とを含み、前記前反転ビーム（３５）は前記連接具（７）を据え付けるためのものであり、前記前支持具（３２）は前記一対の前ストリンガー（３３）に固定されていることを特徴とする請求項１に記載の電動ベッド（１）。
【請求項６】
前記後骨組み（５）の前記後台座（５１）はその長手方向に延長する一対の後ストリンガー（５３）と、前記一対の後ストリンガー（５３）の間に連接した後連接ビーム（５４）と後反転ビーム（５５）とを含み、前記後反転ビーム（５５）は前記連接具（７）を据え付けるためのものであり、前記後支持具（５２）は前記一対の後ストリンガー（５３）に固定されていることを特徴とする請求項１に記載の電動ベッド（１）。
【請求項７】
前記前骨組み（３）の前連接ビーム（３４）には高さが前記前支持具（３２）と同じようにされた前支持脚（３８）が設けられていること特徴とする請求項５に記載の電動ベッド（１）。
【請求項８】
前記後骨組み（５）の後連接ビーム（５４）には高さが前記後支持具（５２）と同じようにされた後支持脚（５８）が設けられていることを特徴とする請求項６に記載の電動ベッド（１）。
【請求項９】
前記後骨組み（５）の後ストリンガー（５３）には高さが前記後支持具（５２）と同じようにされた、後ストリンガーを支持するための後ストリンガー支持脚（５９）が設けられていることを特徴とする請求項６に記載の電動ベッド（１）。
【請求項１０】
前記前支持具（３２）は前記前骨組み（３）に設けられた互いに隣接した二つのベッド板を少なくとも部分的に支え、かつ、前記後支持具（５２）は前記後骨組み（５）に設けられた互いに隣接した二つのベッド板を少なくとも部分的に支えることを特徴とする請求項１〜９のいずれか１項に記載の電動ベッド（１）。
【考案の詳細な説明】
【技術分野】
【０００１】
この実用新案は電動ベッドに関し、特に畳める電動ベッドに関するものである。
【背景技術】
【０００２】
最近、人々は生活水準が高くなって、良好の睡眠も非常に重視されていて、快適に寝ることができるため、知能ベッドが人々に歓迎された。
【０００３】
強度と機械構造に対しての要求が高いため、電動ベッドが一体化構成にされることが多い。そのため、体積が大きく、重さが重い電動ベッドを搬送することは不便である。また、エレベーターと廊下が狭い場合、このような大きい電動ベッドをユーザの部屋に搬入することは難しい。
【０００４】
そのため、現有技術は電動ベッドの前骨組みと後骨組みとをヒンジで連結するもので、このような電動ベッドは占有する面積が小さく、搬送は便利である。しかし、このような前骨組みと後骨組みとを連結する連結具は電動ベッドの全部の重量を受けて、割れやすい。運送の場合も揺れることがあって、電動ベッドの駆動部も連結点が堅固ではないため、損害される可能性もある。
【考案の概要】
【考案が解決しようとする課題】
【０００５】
この実用新案の畳める電動ベッドは上記の欠陥を克服するためのものである。その目的を実現するため、この実用新案の畳める電動ベッドはヒンジで連結する連結具に掛かる力を減らすことができるものであり、運送する場合に破損する可能性も小さくなった。
【課題を解決するための手段】
【０００６】
その目的を実現するため、この実用新案の畳める電動ベッドは前骨組みと、後骨組みと、前記の前骨組みと前記の後骨組みとに設けられる複数のベッド板とを含む畳める電動ベッドにおいて、
前記の前骨組みは前台座を含み、前記の前台座には前支持具を固定し、前記の前支持具は前記の前骨組みに設けられるベッド板を支えるもので、
前記の後骨組みは後台座を含み、前記の後台座には後支持具を固定し、前記の後支持具は前記の後骨組みに設けられるベッド板を支えるもので、
かつ、前記の前台座と前記の後台座は連接具とシャフトピンとによりヒンジジョイント軸にヒンジで連結され、これにより、前骨組みと後骨組みとは水平状態になるように展開したり、互いに畳んだりすることができるようになり、水平状態に展開した場合、前骨組みと後骨組みとは水平方向に互いに隣接して、畳んだ状態の場合、前骨組みの前台座は上記のヒンジジョイント軸周りを回転して、後骨組みの後台座と同じ水平面に重なり合うことを特徴とする畳める電動ベッドである。
【０００７】
上記の構成により、畳んだ状態になった場合、前骨組みと後骨組みとは互いに支持し、連接具が受ける力を減らすことができ、連接具の実用寿命を増やすことができる。また、既存技術と比べると、支え面が増えるから、掛けられた力がより均一に分布し、電動ベッドが損害される可能性は小さくなった。また、この実用新案では、ベッド板が直接に前骨組みと後骨組みに支持されることなく、それぞれ前骨組みの前支持具と後骨組みの後支持具に支持されている。このようにして、電動ベッドが折り畳まれた場合、前骨組みに固定されたベッド板と後骨組みに固定されたベッド板との距離はもっと大きくなって、したがって、ベッド板を反転させる駆動機構を納入する空間も大きくなった。
【０００８】
また、この実用新案の畳める電動ベッドは、前記の連接具が水平部としての第一据え付け部と、前記の第一据え付け部と直交した第二据え付け部とを含み、前記の第一据え付け部は前記の前骨組みあるいは前記の後骨組みに据え付けられ、前記の第二据え付け部はシャフトピンを据え付けるためのものであることを特徴とする電動ベッドである。連接具において、互いに直交した第一据え付け部と第二据え付け部は構成が簡単で、使用において便利である。
【０００９】
また、この実用新案の畳める電動ベッドは、前駆動部は前記の前骨組みに据え付けられ、前記の前骨組みに設けられる複数のベッド板の少なくとも一つを駆動するもので、また、前記の前台座からの前記の前支持具の高さは前記の前骨組みにおける前駆動部の高さより高いことを特徴とする電動ベッドである。このように構成したため、折り畳んだ場合、前骨組みに据え付けられた前駆動部はベッド板に当たらず、破損しない。
【００１０】
また、この実用新案の畳める電動ベッドは、後駆動部は前記の後骨組みに据え付けられ、前記の後骨組みに設けられる複数のベッド板の少なくとも一つを駆動するもので、また、前記の後台座からの前記の後支持具の高さが前記の後骨組みにおける後駆動部の高さより高いことを特徴とする電動ベッドである。このような構成により、折り畳んだ場合、後骨組みに据え付けられた後駆動部はベッド板に当たらず、破損しないことをさらに確保することができる。
【００１１】
また、この実用新案の畳める電動ベッドは、前記の前骨組みの前台座はその長手方向に延長する一対の前ストリンガーと、前記の一対の前ストリンガーの間に連接した前連接ビームと前反転ビームとを含み、前記の前反転ビームは前記の連接具を据え付けるためのものであり、前記の前支持具は前記の一対の前ストリンガーに固定されていることを特徴とする電動ベッドである。
【００１２】
また、この実用新案の畳める電動ベッドは、前記の後骨組みの後台座はその長手方向に延長する一対の後ストリンガーと、前記の一対の後ストリンガーの間に連接した後連接ビームと後反転ビームとを含み、前記の後反転ビームは前記の連接具を据え付けるためのものであり、前記の後支持具は前記の一対の後ストリンガーに固定されていることを特徴とする電動ベッドである。
【００１３】
また、この実用新案の畳める電動ベッドは、前記の前骨組みの前連接ビームには高さが前記の前支持具と同じようにされた前支持脚を設けたことを特徴とする電動ベッドである。このように構成するため、電動ベッドが展開状態になる場合、前骨組みに固定したあらゆるベッド板はみんな同じ水平面にある。
【００１４】
また、この実用新案の畳める電動ベッドは、前記の後骨組みの後連接ビームには高さが前記の後支持具と同じようにされた後支持脚を設けたことを特徴とする電動ベッドである。このように構成するため、電動ベッドが展開状態になる場合、後骨組みに固定したあらゆるベッド板はみんな同じ水平面にある。
【００１５】
また、この実用新案の畳める電動ベッドは、前記の後骨組みの後ストリンガーには高さが前記の後支持具と同じようにされた、後ストリンガーを支持するための後ストリンガー支持脚を設けたことを特徴とする電動ベッドである。このように構成するため、電動ベッドが展開状態になる場合、後骨組みに固定したあらゆるベッド板はみんな同じ水平面にある。
【００１６】
また、この実用新案の畳める電動ベッドは、前記の前支持具は前記の前骨組みに設ける互いに隣接した二つのベッド板を少なくとも部分的に支え、かつ、前記の後支持具は前記の後骨組みに設けられる互いに隣接した二つのベッド板を少なくとも部分的に支えたことを特徴とする電動ベッドである。このような構成により、ベッド板に対する支持の信頼性が向上した。
【００１７】
この実用新案の畳める電動ベッドは、前骨組みにベッド板を支持する前支持具を設け、また、後骨組みにベッド板支持する後支持具を設けることにより、前骨組みと後骨組みとが折り畳んだ状態になる場合、前骨組みに固定したベッド板と後骨組みに固定したベッド板との間にもっと大きい空間が形成され、電動ベッドの駆動部を入れることができる。一番重要なのは、前骨組みと後骨組みとを折り畳んだ後、前骨組みと後骨組みとは合って互いに支持して、ヒンジで連結したところの連接具に掛かる力を減少させて、連接具が破損する可能性も小さくなって、実用寿命も長くなる。また、この実用新案の畳める電動ベッドを展開する場合あるいは折り畳むため、道具を使う必要なく、メーカーあるいはユーザは据え付けやすい。
【００１８】
この実用新案では、矛盾とコンパチブルしない状況以外、全部の特徴と変形方式と／または具体実施例はいろいろに組み合わせることができる。
【図面の簡単な説明】
【００１９】
【図１】図１はこの実用新案の実施例の畳める電動ベッドの模式図であり、当該電動ベッドは展開状態になって、すなわち、その前骨組みと後骨組みとに据え付けられたベッド板は大体同じ水平面にある状態になった電動ベッドの模式図である。
【図２】図２はこの実用新案の実施例の畳める電動ベッドの模式図であり、当該電動ベッドの前骨組みと後骨組みとに据え付けられたベッド板はそれぞれ違う傾斜角度と高さにある状態を示す。
【図３】図３は図１の畳める電動ベッドの前骨組みの底面図である。
【図４】図４は図１の畳める電動ベッドの後骨組みの底面図である。
【図５】図５は図１の畳める電動ベッドを折り畳む過程を表す模式図である。
【図６】図６は図１の畳める電動ベッドが折り畳まれた状態を表す模式図である。
【図７】図７は図６の畳める電動ベッドの局部の拡大図である。
【考案を実施するための形態】
【００２０】
以下の実施例はこの発明を説明するためのもので、限定するものではなく、図面を参照して、この実用新案の他の特徴と長所とは分かりやすいものである。
【００２１】
上記の図面は比例が実際比例ではなく、この実用新案の基本原理の複数の好ましい特徴を説明するための略図だけである。この実用新案に公開された設計特徴、例えばサイズ、方向、定位、形状は具体的な応用状況と使用環境により確定するものである。
【００２２】
以下実施例と図面とを参照してこの実用新案を詳しく説明する。これらの図面では、同じ参考番号はこの実用新案の同じあるいは等価の部品を示す。
【００２３】
図１はこの実用新案の畳める電動ベッド１を表し、当該畳める電動ベッド１は前骨組み３と後骨組み５とを含み、前骨組み３と後骨組み５とは連接具７とシャフトピン９により連結されている。当該畳める電動ベッド１が図１に示したように展開状態にある場合、前骨組み３と後骨組み５とは大体同じ水平面にある。
【００２４】
前骨組み３は前台座３１と、前台座３１に固定した前支持具３２とを含み、前支持具３２には一枚の前固定ベッド板１２を固定し、当該前固定ベッド板１２には一枚の前可動ベッド板１１がヒンジで連結され、当該前可動ベッド板１１は前骨組み３に設けられる前駆動部２により駆動され、水平状態と傾斜状態との間に反転できる。
【００２５】
後骨組み５は後台座５１と後台座５１に固定した後支持具５２とを含み，後支持具５２には一枚の後固定ベッド板１３が固定され、当該後固定ベッド板１３には一枚の後可動ベッド板１４がヒンジで連結され、当該後可動ベッド板１４は後骨組み５に設けられる後駆動部４により駆動され、水平状態と傾斜状態との間に反転できる。かつ、当該後可動ベッド板１４にはまた一枚の後追従ベッド板１５がヒンジで連結され、当該後追従ベッド板１５は後可動ベッド板１４の運動に追従して運動することができる。
【００２６】
図１によると、ベッド板と前台座３１とは距離があり、ベッド板と後台座５１とも距離があるように、前支持具３２と後支持具５２を設け、この距離があるため、前駆動部２と後駆動部４とを据え付けることができる。
【００２７】
図２は当該畳める電動ベッド１が使用される場合の状態の模式図であり、前骨組み３と後骨組み５とに据え付けられた可動ベッド板はそれぞれ前駆動部２と後駆動部４とにより違う傾斜角度と高さに上げられている。
【００２８】
具体的に言えば、図３を参照して見ると、前骨組み３の前台座３１はその長手方向に沿って延伸した一対の前ストリンガー３３と、この一対の前ストリンガー３３の間に連接した前連接ビーム３４と、前反転ビーム３５とを含み、この一対の前ストリンガー３３と前連接ビーム３４と前反転ビーム３５とは順序に首尾繋がり、長方形のベッド骨組みになっている。当該前反転ビーム３５は前記連接具７を据え付けるためのものであり、二つの連接具７を対称に前反転ビーム３５に設けることは好ましく、この一対の前ストリンガー３３に近い、前反転ビーム３５の両側に設けることは好ましい。上記の前支持具３２を前反転ビーム３５に近いように上記の一対の前ストリンガー３３に固定する。
【００２９】
前駆動部２は前駆動電機２１と前支え架台２２とを含み、前駆動電機２１の一端部は前連接ビーム３４の中間位置にヒンジで連結され、他の端部は前支え架台２２にヒンジで連結されている。当該前支え架台２２は前可動ベッド板１１に固定され、リベットあるいはシャフトピンで前可動ベッド板１１に固定することは好ましい。また、前支え架台２２の両端部に長い固定用板２３を設け、固く固定することができる。
【００３０】
図４に参照して見ると、具体的に言うと、後骨組み５の後台座５１はその長手方向に沿って延伸する一対の後ストリンガー５３と、当該一対の後ストリンガー５３の間に連接した後連接ビーム５４と、後反転ビーム５５とを含み、この一対の後ストリンガー５３と後連接ビーム５４と後反転ビーム５５とは順序に首尾繋がり、長方形のベッド骨組みになっている。当該後反転ビーム５５は連接具７を据え付け、前反転ビーム３５に据え付けた連接具７と協力するためのものであり、二つの連接具７は対称的に後反転ビーム５５に設けられることが好ましい。特に、この一対の後ストリンガー５３に近い、後反転ビーム５５の両側に設けられることが好ましい。上記の後支持具５２を後反転ビーム５５に近いように上記の一対の後ストリンガー５３に固定する。
【００３１】
後駆動部４は後駆動電機４１と後支え架台４２とを含み、後駆動電機４１の一端部は後連接ビーム５４の中間位置にヒンジで連結され、他の端部は後支え架台４２にヒンジで連結されている。当該後支え架台４２は後可動ベッド板１４に固定され、リベットあるいはシャフトピンで後可動ベッド板１４に固定することは好ましい。また、前支え架台２２の両端部に長い固定用板４３を設け、固く固定することができる。
【００３２】
特に、前駆動電機２１と後駆動電機４１とは向かい合うように据え付けられていて、またパター電気機械を使って往復直線運動をすることができる。これにより、対応する可動ベッド板を相応な傾斜角度と高さに上げることができる。
【００３３】
図５に示すように、前骨組み３と後骨組み５とは自分の反転ビームに据え付けた連接具７とシャフトピン９により、ヒンジジョイント軸１０にヒンジで連結され、また、前骨組み３と後骨組み５とはヒンジジョイント軸１０を回って回転して、展開状態から折り畳んだ状態に変換することができる。
【００３４】
図６は折り畳んだ状態の畳める電動ベッドを示し、前骨組み３と後骨組み５とは畳んで、図６では、後骨組み５は前骨組み３の上にあり、もちろん、前骨組み３を後骨組み５の上にあるようにすることもできる。折り畳んだ状態にある場合、前骨組み３の台座と後骨組み５の台座とは互いにくっ付いて、互いに支持できる。
【００３５】
また、図面によると、前骨組み３の前連接ビーム３４の上に、高さが前支持具３２の高さと同じである前支持脚３８を設けて、そうすると、折り畳んだ状態になる場合、前支持脚３８により、ベッド板が陥没することが防止でき、連接具７が受ける圧力も小さくなって、連接具７の実用寿命も長くなる。
【００３６】
同じように、後骨組み５の後連接ビーム５４に高さが後支持具５２の高さと同じである後支持脚５８を設けて、かつ、後骨組み５の後ストリンガー５３に高さが後支持具５２の高さと同じである後ストリンガー支持脚５９を設けて、そうすると、後骨組み５の上にあるベッド板が耐える重量が大きくなって、支持力が上がって、連接具７が受けた圧力が小さくなって、連接具７の実用寿命も長くなる。
【００３７】
図７は前骨組み３と後骨組み５とのヒンジで連結するところの拡大図であり、使われた連接具７は水平の第一据え付け部７１と、当該第一据え付け部７１と直交したように延伸した第二据え付け部７２とを含み、特に溶接により、第一据え付け部７１は前骨組み３あるいは後骨組み５に据え付けられている。第二据え付け部７２はシャフトピン９を据え付けるための貫通孔を有している。当該第二据え付け部７２の広さは少なくとも第一据え付け部７１より広く、貫通孔を設けるためである。
【００３８】
また、変形例として、連接具は第二据え付け部を支持するための支え具を設けて、例えば筋を設けて、連接具の強度を上げることができる。
【００３９】
この実用新案では、前骨組み３と後骨組み５の台座のビームの断面は長方形であれば一番よく、前骨組み３と後骨組み５が折り畳んだ状態になる場合、互いの接触面積を増え、支持安定性をあげることができる。
【００４０】
この実用新案の畳める電動ベッドは連接具とシャフトピンで前骨組みと後骨組みとを連接し、かつ、前骨組みと後骨組みとはみんな自分の支持具があって、ベッド板と台座との間の距離は大きくなって、駆動部を設けるには便利である。もっと重要なのは、折り畳んだ場合、前骨組みと後骨組みとは合って互いに支持して、連接具に掛かる力を減少させて、連接具対しての強度要求も小さくなって、連接具の実用寿命も長くなる。従って、この実用新案の畳める電動ベッドの構成は簡単で、この実用新案に示す連接具のように据え付けることは便利である。
【００４１】
以上の実施例は例だけで、この実用新案の範囲を限定するものではない。この分野の当業者はこれを基礎として、この実用新案の権利請求の範囲以内で、同じ機能を実現できる他の実施方式を想像できる。
【００４２】
当業者は複数の実施例と変形例およびそれらの改良案を知っていて、顕然矛盾がある状況、あるいは兼用できない状況以外、この実用新案の上記の特徴、変形方式と／あるいは具体実施例は組み合わせることができる。あらゆる実施例と変形例および改良はみんなこの実用新案の保護範囲に属すものである。
【図１】
0003212247.tif 000003
【図２】
0003212247.tif 000004
【図３】
0003212247.tif 000005
【図４】
0003212247.tif 000006
【図５】
0003212247.tif 000007
【図６】
0003212247.tif 000008
【図７】
0003212247.tif 000009